(57)【特許請求の範囲】
【請求項１】
次の各工程からなる減圧による盛土安定化工法。
（１）盛土すべき地面上に、内端がこの盛土される部分の略中央に位置し外端が前記盛土外に引き出される少なくとも１本の直管を配置するとともに、前記地面上に第１水平排水材を敷設して、この第１水平排水材上に前記直管の内端側に接続される多数の第１有孔管を配置する工程；
（２）前記直管の内端側に第１垂直管の下端を接続してから、この第１垂直管の上端を露出させながら、前記第１水平排水材及び第１有孔管上に第１盛土を行う工程；
（３）前記第１垂直管の上端を閉じた状態で、前記直管の外端側に接続した真空ポンプを作動させることにより、前記第１水平排水材及び第１有孔管を通して前記第１盛土内部を減圧する工程；
（４）前記第１垂直管の上端を閉じた状態で、前記真空ポンプの外側に接続した排水ポンプを作動させることにより、前記第１水平排水材及び第１有孔管によって集められた水を前記第１盛土外に排水する工程；
（５）前記第１垂直管の上端に第２垂直管を接続してから、前記（２）の工程で形成された第１盛土上に、第２水平排水材及び多数の第２有孔管を敷設して、これらの第２有孔管を前記第２垂直管に接続する工程；
（６）これらの第２水平排水材及び第２有孔管上に第２盛土を行う工程；
（７）前記第２垂直管の上端を閉じた状態で、前記真空ポンプ及び排水ポンプを駆動することによって、前記第１と第２水平排水材、及び第１と第２有孔管からの排水を行う工程；
（８）上記工程の（５）〜（７）を所定回数繰り返す工程。
【請求項２】
前記各盛土中または下面の所定箇所に負圧センサーを配置しておき、これら各負圧センサーによって負圧が検出されたとき、前記真空ポンプ及び排水ポンプの作動を停止させるようにしたことを特徴とする請求項１に記載の減圧による盛土安定化工法。
【請求項３】
前記各盛土中に水圧計を配置しておき、これら各水圧計によって検出された間隙水圧が、所定の値以下となったとき、次段の盛り土を行うように各盛土速度を調整するようにしたことを特徴とする請求項１または請求項２に記載の減圧による盛土安定化工法。
【発明の詳細な説明】
【０００１】
【産業上の利用分野】
本発明は、盛土を行うための工法に関し、特に高い割合で水を含んでいる土による盛土を行うのに適した減圧による盛土安定化工法に関するものである。
【０００２】
【従来の技術】
盛土は、道路を建設したり、宅地を造成したりする場合になされるものであり、その工法としては従来より種々なものが提案されてきている。そして、盛土を行うべき場所や、その盛土のために採取される土砂の状況に応じた種々な工法も提案されてきている。
【０００３】
盛土のための採取土砂や施工現場で通常問題になるのが、「水分」である。施工現場や盛土用土砂中に水分が多ければ、盛土そのものが行えないだけでなく、軟弱な盛土となってしまう。このため、この水分を盛土内から除去するために、従来より種々な工法が採用されてきているのであり、その内の一例として、例えば特開平６−００２３２８号公報にて提案されている「地盤改良工法とその装置」がある。
【０００４】
この従来の地盤改良工法では、上記公報の要約の記載からすると、「上部には圧縮空気圧入管と同排出管ならびに減圧のための空気吸引管が、また下端部にはセメントスラリー等の地盤改良剤の供給管と圧縮空気導入管がそれぞれ取付けられた地盤改良用中空管を軟弱地盤に打ち込みながら上記改良剤を中空管内に噴出させて該中空管に相応する部分の軟弱土を中空管に取込んで行き、所定深度まで打ち込んだ後、上記した下方の導入管から中空管内にエアを圧入し、必要により上記した上部吸引管からエアを吸引して中空管内上方を負圧にして、下方から導入したエアを中空管内に取込まれた軟弱土中を通過させることにより改良剤との混合撹拌を行ない、その後に中空管を引抜いて軟弱地盤の原位置に中空管とほぼ同径の強化抗体を排出造成する」ものであり、造成地が完了していることを条件として、造成地内に「強化抗体」を造成するようにしているものである。
【０００５】
この技術を「盛土型道路」に適用しようとすると、その盛土が崩れないようにしておいてから地盤改良用中空管の打込みを行わなければならないから、施工が非常に大変なものとなる可能性があって、上記技術の盛土に対する適用はできないものと考えられる。
【０００６】
これに対して、軟弱土砂を利用した盛土を形成する場合に、砂や不織布を利用した水平ドレン材を、一定の高さ毎に敷設しておき、この水平ドレン材の端部を盛土外に出して、その吸排水機能を利用した工法がある。この工法であれば、一定厚さの盛土を行う毎に水平ドレン材を敷設していけばよいから、盛土周辺の土留めや、中空管の打込み、強化抗体の造成をしなくてもよく、施工を簡単に行うことができる。
【０００７】
しかしながら、このような水平ドレン材を使用した盛土工法では、次のような改良しなければならない点を、未だ残している。
【０００８】
（１）水平ドレン材による水分の排出は、毛細管現象の言わば自然の力を利用して行うものであるため、非常に時間がかかる。特に、非常に水分の多い軟弱な土砂を利用して盛土する場合には、ある厚さ分の水分排出を待ってから、その上への盛土を次々に行っていかなければならないから、全体の工期は非常に長くならざるを得ない。
【０００９】
（２）水平ドレン材は盛土外に端部を出しておくものであるから、降雨等が大量にあった場合には、排出された水がドレン材の端部という固定化された部分から大量に流れ出ることになる。そうすると、この水平ドレン材の端部が露出している法面の部分が、排出によって洗掘されてしまうという問題を生ずる。
【００１０】
（３）水平ドレン材は、これが盛土上面に十分密着して敷設されればよいが、そうでない場合には、盛土上と水平ドレン材との間に「不陸」と呼ばれる浮いた部分が生じ、ここに水分が溜まることになって、盛土の安定化を阻害することにもなる。
【００１１】
そこで、本発明者等は、水分を多く含んだ軟弱土砂を使用して盛土を行う場合に、工期を短縮しながら、盛土の安定化を行うにはどうしたらよいか、について種々検討を重ねてきた結果、本発明を完成したのである。
【００１２】
【発明が解決しようとする課題】
本発明は、以上の実状に鑑みてなされたもので、その解決しようとする課題は盛土工期の短縮と、盛土の安定化である。
【００１３】
すなわち、まず請求項１に係る発明の目的とするところは、水平排水材（ドレン材）の長所を十分生かしながら、排水作用を確実かつ短時間内に行うようにして、工期を短縮できて安定化を促進することができ、ひいては高含水材料を使用しても盛土を形成することのできる減圧による盛土安定化工法を提供することにある。
【００１４】
また、請求項２に係る発明の目的とするところは、上記請求項１に係る発明と同様な目的を達成することができる他、真空ポンプ及び排水ポンプの作動を効率的に行って経費の節約を一層すすめることのできる減圧による盛土安定化工法を提供することにある。
【００１５】
そして、請求項３に係る発明の目的とするところは、上記請求項１または請求項２に係る発明と同様な目的を達成することができる他、さらに工期短縮を図ることのできる減圧による盛土安定化工法を提供することにある。
【００１６】
【課題を解決するための手段】
以上の課題を解決するために、まず請求項１に係る発明の採った手段は、後述する実施の形態の説明中において使用する符号を付して説明すると、「次の各工程からなる減圧による盛土安定化工法。
【００１７】
（１）
盛土すべき地面上に、内端がこの盛土される部分の略中央に位置し外端が前記盛土外に引き出される少なくとも１本の直管３０を配置するとともに、前記地面上に第１水平排水材２１を敷設して、この第１水平排水材２１上に直管３０の内端側に接続される多数の第１有孔管４１を配置する工程；
（２）
直管３０の内端側に第１垂直管５１の下端を接続してから、この第１垂直管５１の上端を露出させながら、第１水平排水材２１及び第１有孔管４１上に第１盛土１１を行う工程；
（３）
第１垂直管５１の上端を閉じた状態で、直管３０の外端側に接続した真空ポンプ３２を作動させることにより、第１水平排水材２１及び第１有孔管４１を通して第１盛土１１内部を減圧する工程；
（４）
第１垂直管５１の上端を閉じた状態で、真空ポンプ３２の外側に接続した排水ポンプ３１を作動させることにより、第１水平排水材２１及び第１有孔管４１によって集められた水を第１盛土１１外に排水する工程；
（５）
第１垂直管５１の上端に第２垂直管５２を接続してから、（２）の工程で形成された第１盛土１１上に、第２水平排水材２２及び多数の第２有孔管４２を敷設して、これらの第２有孔管４２を第２垂直管５２に接続する工程；
（６）
これらの第２水平排水材２２及び第２有孔管４２上に第２盛土１２を行う工程；
（７）
第２垂直管５２の上端を閉じた状態で、真空ポンプ３２及び排水ポンプ３１を駆動することによって、第１と第２水平排水材２１・２２、及び第１と第２有孔管４１・４２からの排水を行う工程；
（８）
上記工程の（５）〜（７）を所定回数繰り返す工程」である。
【００１８】
すなわち、この請求項１に係る減圧による盛土安定化工法は、図１及び図２に示すように、地面や各盛土の上面に、第１水平排水材２１や第１有孔管４１を配置しておいて、これらにより、まず、第１垂直管５１の上端を閉じた状態で、直管３０の外端側に接続した真空ポンプ３２を作動させることにより、第１水平排水材２１及び第１有孔管４１を通して第１盛土１１内部を減圧するのである。
【００１９】
換言すれば、本発明の減圧による盛土安定化工法においては、盛土された直後の第１盛土１１等の中に含まれる空気、特に第１水平排水材２１や第１有孔管４１の周囲に位置する空気を真空ポンプ３２によって排除することにより、当該第１水平排水材２１や第１有孔管４１の周囲を減圧状態にして、第１盛土１１等の中に含まれる水分をその外に排出し易くしておくのである。
【００２０】
そして、第１垂直管５１の上端を閉じた状態で、今度は真空ポンプ３２の外側に接続した排水ポンプ３１を作動させることにより、第１水平排水材２１や第１有孔管４１が配置された面近傍の水分が、これらの第１水平排水材２１や第１有孔管４１の略中央に位置する第１垂直管５１を介して直管３０に集まるようにするのである。そして、この直管３０に接続してある排水ポンプ３１を作動させることにより、第１盛土１１内に含まれている水分を外部に排出させて、図４に示すような盛土１０を形成しようとするものである。つまり、排水ポンプ３１を作動させることにより、内部が減圧された第１盛土１１等の中に含まれる水分を、この第１盛土１１の下側に配置されている第１水平排水材２１や第１有孔管４１等の中に強制的に導き、第１盛土１１等の外へ排出しようとするものである。
【００２１】
以上のようにするために、本発明においては、排水ポンプ３１及び真空ポンプ３２によって形成される負圧が第１盛土１１等の略全体的にかかるように、第１水平排水材２１や第１有孔管４１等を使用し、これらを１本の直管３０に対して第１垂直管５１等によってまとめ、この直管３０に排水ポンプ３１及び真空ポンプ３２を接続するようにしたものである。
【００２２】
ところで、第１水平排水材２１及び第１有孔管４１を、図２に示すように、盛土１０を形成するために整地した地面上に配置した後に、図１に示すような第１盛土１１を形成すれば、第１水平排水材２１及び第１有孔管４１は盛土や地面によって密閉された状態となる。ところが、第１水平排水材２１においては、各繊維間や積極的に形成した排水溝によってその内部に連通空間が存在し、この連通空間は第１有孔管４１の各孔を介して第１垂直管５１に連通することになり、この第１垂直管５１を接続した直管３０を介して真空ポンプ３２に連通されるのである。従って、この真空ポンプ３２によって形成された負圧は、第１水平排水材２１の略全面側にかけられることになるから、この第１水平排水材２１が水を受け止めれば、この水は排水ポンプ３１によって外部に排出されることになるのである。
【００２３】
従って、この第１盛土１１を形成するに際して、この第１盛土１１中に水分が含まれていれば、この水分が第１水平排水材２１の全面によって受け止められて排水ポンプ３１によって第１盛土１１外へ排出されるから、この第１盛土１１は短時間内に排水されて安定化したものとなるのである。
【００２４】
このように、第１盛土１１の安定化が早期になされるため、この第１盛土１１上への次の第２水平排水材２２及び第２有孔管４２の敷設・配置作業も早期に行える。場合によっては、第１盛土１１の排水作業中に第２水平排水材２２及び第２有孔管４２の施工が行える。勿論、この場合、次の第２盛土１２中になる第２垂直管５２を、第１盛土１１上に上端が露出している第１垂直管５１に接続するのであり、この第２垂直管５２の上端をキャップ５３によって閉じておいてから第２盛土１２のための盛土を行うのである。
【００２５】
第１盛土１１上への第２盛土１２の形成が済めば、真空ポンプ３２及び排水ポンプ３１を上述したように作動させて、第２盛土１２中の空気や水分は勿論、この第２盛土１２から第１盛土１１中に移動した、あるいは第２盛土１２の荷重によって浸みだした第１盛土１１中の水分を外部へ排出させるのである。この第２盛土１２の排出作業も、前述した第１盛土１１の場合と同様に、早期に完了するものである。以上の工程を繰り返すことにより、図４に示した盛土１０が安定したものとして完成するのである。
【００２６】
このように、第１盛土１１等の中の水分は、第１水平排水材２１、第１有孔管４１、第１垂直管５１及び直管３０によって外部に排出されるのであるから、第１盛土１１等の中から水分が法面側に直接出ることはない。つまり、第１盛土１１等の法面は排水によって洗掘されることが全くないのであり、このことにより法面の養生作業や再生作業が不必要となっている。従って、この点からしても、当該減圧による盛土安定化工法は、前述した従来技術との比較からすると、施工期間を短縮することができるのである。
【００２７】
さて、上記課題を解決するために、請求項２に係る発明の採った手段は、上記請求項１の減圧による盛土安定化工法について、「各盛土中または下面の所定箇所に負圧センサー３５を配置しておき、これら各負圧センサー３５によって負圧が検出されたとき、排水ポンプ３１及び真空ポンプ３２の作動を停止させるようにしたこと」である。
【００２８】
すなわち、この請求項２の減圧による盛土安定化工法では、第１盛土１１等の中または下面に配置した負圧センサー３５によって、真空ポンプ３２や排水ポンプ３１の作動時期を制御するようにしたものであり、第１盛土１１等の中や下面の圧力が、水分を排出するのに十分な負圧となっているときには、これを各負圧センサー３５が検知して排水ポンプ３１及び真空ポンプ３２の作動を停止させるようにしたものである。
【００２９】
従って、この請求項２の減圧による盛土安定化工法によれば、第１盛土１１等の中が、排水を行うのに十分な負圧状態となっているときには、排水ポンプ３１及び真空ポンプ３２の作動を停止させるのであり、排水ポンプ３１及び真空ポンプ３２を効率良く稼働させることができて、工費の節減を図ることができるのである。
【００３０】
そして、上記課題を解決するために、請求項３に係る発明の採った手段は、上記請求項１または請求項２の減圧による盛土安定化工法について、「前記各盛土中に水圧計３６を配置しておき、これら各水圧計３６によって検出された間隙水圧により、各盛土速度を調整するようにしたこと」である。
【００３１】
すなわち、この請求項３の減圧による盛土安定化工法は、図２に示すように、各盛土中に水圧計３６を配置しておき、これら各水圧計３６によって検出された間隙水圧が、制御機３３等によって所定の値以下になったと判断されたとき、次の段の盛土を開始するようにしたものであり、各盛土速度を調整する、つまり次の盛土を行う最適な時期を決定できるようにしたものである。
【００３２】
従って、この請求項３の減圧による盛土安定化工法によれば、上記の請求項１または請求項２に記載の減圧による盛土安定化工法と同様な作用・効果を発揮できることは勿論、水圧計３６の存在によって各盛土速度を調整することができるのであり、工期短縮をより一層図ることができるのである。
【００３３】
【発明の実施の形態】
次に、上記のように構成した各請求項の発明を、図面に示した実施の形態に従って説明すると、この実施形態の減圧による盛土安定化工法は、上記各請求項の発明を実質的に含むものであるため、以下ではこの実施形態の減圧による盛土安定化工法を中心に説明していくこととする。
【００３４】
図１には、本発明に係る減圧による盛土安定化工法によって、まず第１盛土１１を完成した縦断面図が示してあり、この第１盛土１１は、整地した地面上に形成したものである。この第１盛土１１を形成する前の地面中あるいは上には、図２に示したように、外端が第１盛土１１外に出る直管３０が配管されるのであり、その地面上には第１水平排水材２１が敷設されるのである。
【００３５】
また、この第１盛土１１を形成する際には、図２にも示したように、この第１盛土１１中に水圧計３６を配置しておくのである。これら各水圧計３６は、その検知結果を制御機３３に伝達すべく、適宜配線によって制御機３３に接続してある。この水圧計３６によって検出された間隙水圧が、制御機３３において設定してある圧力より低くなった場合には、次の段階の盛土を行うようにして、盛土開始の最適時を調整するようにしたものである。
【００３６】
上記の第１水平排水材２１は、その端部が第１盛土１１外へ出てしまわないように、図２に示したように、法面から１ｍ〜２ｍ程度内側となるように敷設されるものである。端部が法面外に出ていると、排水ポンプ３１や真空ポンプ３２の作動時にこの端部から外気が吸い込まれてしまって、排水効率が低下してしまうだけでなく、排水ポンプ３１の非作動時に水がこの端部から法面外に流れて法面の洗掘を行ってしまうから、この第１水平排水材２１等の端部は第１盛土１１等の中になるようにしておくのである。
【００３７】
上記の第１水平排水材２１等としては種々の状態のものが採用できるが、最も安価に提供されていて、しかも施工作業もし易いものが、不織布を使用したものである。勿論、この第１水平排水材２１等は、第１盛土１１中に埋設されてしまうものであるため、第１盛土１１の一部となるように、植物繊維で形成したものあるいは土中の微生物によって分解される生分解性の材料によって形成したものであってもよい。
【００３８】
このような第１盛土１１上には、多数の孔を有したパイプである第１有孔管４１を配置するのであるが、この第１有孔管４１の外端は、図２に示したように、第１水平排水材２１の縁より内側となるようにされる。一方、この第１有孔管４１の内端側は、直管３０の内端側に連結した第１垂直管５１に接続されるものである。また、この第１有孔管４１は、図２にも示したように、第１水平排水材２１上に多数配置されるものであり、その各内端は、上述した第１垂直管５１に連結されることは言うまでもない。
【００３９】
各第１有孔管４１等は、第１水平排水材２１側の水分を吸収するものであるため、文字通り吸水のための孔を多数有しているものである。勿論、各第１有孔管４１の外端は閉じてあり、内端は第１垂直管５１側に連通させて連結できるようにしてある。
【００４０】
また、上記第１水平排水材２１上には、この第１水平排水材２１上に第１盛土１１を盛土したときにその中の負圧を検知する負圧センサー３５が、図２に示したように、ランダムに配置されている。これら各第１水平排水材２１は、後述する制御機３３に全て電気的に接続されるものであり、この制御機３３に負圧か否かの状態を伝達するものである。
【００４１】
上記第１水平排水材２１の下側には、図２にも示したように直管３０が配置されていたのであるが、この直管３０の外端には、各図において示したように、逆止弁３４を介して、真空ポンプ３２、排水ポンプ３１、制御機３３がこの順に接続される。これらの排水ポンプ３１及び真空ポンプ３２によって、第１水平排水材２１が捕捉した水及び空気を吸引することは、前述した通りである。
【００４２】
さて、図２に示したように、各部材を配置した後には、図１に示したように、第１盛土１１を盛土するのである。そして、排水ポンプ３１を作動させることにより、この第１盛土１１内の水分を外部へ排出することは前述した通りである。この場合、第１垂直管５１の上端は、図２に示したように、キャップ５３によって閉じておく。
【００４３】
次に、図３に示したように、第１盛土１１上に次の第２盛土１２を形成するのであるが、そのためには、第１垂直管５１の上端に第２垂直管５２を接続してこの第２垂直管５２の上端をキャップ５３で閉じ、そして第１盛土１１上に第２水平排水材２２及び第２有孔管４２を敷設・配置するのである。このときにも、負圧センサー３５及び水圧計３６を設置しておくとよい。
【００４４】
そして、真空ポンプ３２及び排水ポンプ３１を作動させることにより、第２盛土１２内及び第１盛土１１内に残留している水分を、各第１水平排水材２１、第２水平排水材２２、第１有孔管４１及び第２有孔管４２を介して外部に排出するのである。以上の工程を数回繰り返すことにより、図４に示した盛土１０が完成するのである。
【００４５】
【発明の効果】
以上詳述した通り、請求項１に係る発明においては、上記実施形態にて例示した如く、「次の各工程からなる減圧による盛土安定化工法。
【００４６】
（１）
盛土すべき地面上に、内端がこの盛土される部分の略中央に位置し外端が前記盛土外に引き出される少なくとも１本の直管３０を配置するとともに、前記地面上に第１水平排水材２１を敷設して、この第１水平排水材２１上に直管３０の内端側に接続される多数の第１有孔管４１を配置する工程；
（２）
直管３０の内端側に第１垂直管５１の下端を接続してから、この第１垂直管５１の上端を露出させながら、第１水平排水材２１及び第１有孔管４１上に第１盛土１１を行う工程；
（３）
第１垂直管５１の上端を閉じた状態で、直管３０の外端側に接続した真空ポンプ３２を作動させることにより、第１水平排水材２１及び第１有孔管４１を通して第１盛土１１内部を減圧する工程；
（４）
第１垂直管５１の上端を閉じた状態で、真空ポンプ３２の外側に接続した排水ポンプ３１を作動させることにより、第１水平排水材２１及び第１有孔管４１によって集められた水を第１盛土１１外に排水する工程；
（５）
第１垂直管５１の上端に第２垂直管５２を接続してから、（２）の工程で形成された第１盛土１１上に、第２水平排水材２２及び多数の第２有孔管４２を敷設して、これらの第２有孔管４２を第２垂直管５２に接続する工程；
（６）
これらの第２水平排水材２２及び第２有孔管４２上に第２盛土１２を行う工程；
（７）
第２垂直管５２の上端を閉じた状態で、真空ポンプ３２及び排水ポンプ３１を駆動することによって、第１と第２水平排水材２１・２２、及び第１と第２有孔管４１・４２からの排水を行う工程；
（８）
上記工程の（５）〜（７）を所定回数繰り返す工程」にその構成上の特徴があり、これにより、水平排水材（ドレン材）の長所を十分生かしながら、排水作用を確実かつ短時間内に行うようにして、工期を短縮できて安定化を促進することができ、ひいては高含水材料を使用しても盛土を形成することのできる減圧による盛土安定化工法を提供することができるのである。
【００４７】
すなわち、本発明の減圧による盛土安定化工法においては、次のような効果がある。
【００４８】
・今まで使用することができなかった高含水比の盛土材を使用して盛土１０を形成することができる。
【００４９】
・高含水比の盛土材を使用した場合であっても、工期の短縮化を図ることができる。
【００５０】
・短期の工期であっても、盛土１０の圧密沈下を促進することが、盛土１０の安定化を短期間で行うことができる。
【００５１】
また、請求項２の減圧による盛土安定化工法によれば、上記請求項１の減圧による盛土安定化工法について、「各盛土中または下面の所定箇所に負圧センサー３５を配置しておき、これら各負圧センサー３５によって負圧が検出されたとき、排水ポンプ３１及び真空ポンプ３２の作動を停止させるようにした 」ことにその特徴があり、これにより、上記請求項１に係る発明と同様な目的を達成することができる他、排水ポンプや真空ポンプの作動を効率的に行って経費の節約を一層すすめることのできる減圧による盛土安定化工法を提供することができるのである。
【００５２】
そして、請求項３の発明によれば、上記請求項１または請求項２の減圧による盛土安定化工法について、「前記各盛土中に水圧計３６を配置しておき、これら各水圧計３６によって検出された間隙水圧が、所定の値以下となったとき、次段の盛り土を行うように各盛土速度を調整するようにしたこと」にその特徴があり、これにより、上記の請求項１または請求項２に記載の減圧による盛土安定化工法と同様な作用・効果を発揮することは勿論、各盛土速度を調整することができて、工期短縮をより一層図ることができるのである。
【図面の簡単な説明】
【図１】 本発明に係る減圧による盛土安定化工法を採用して形成した第１盛土の縦断面図である。
【図２】 図１中の１−１線に沿ってみた部分拡大平面図である。
【図３】 図１の第１盛土の上に第２盛土を形成した状態の縦断面図である。
【図４】 本発明の減圧による盛土安定化工法によって完成した盛土の縦断面図である。
【符号の説明】
１０ 盛土
１１ 第１盛土
１２ 第２盛土
２１ 第１水平排水材
２２ 第２水平排水材
３０ 直管
３１ 排水ポンプ
３２ 真空ポンプ
３３ 制御機
３４ 逆止弁
３５ 負圧センサー
３６ 水圧計
４１ 第１有孔管
４２ 第２有孔管
５１ 第１垂直管
５２ 第２垂直管
５３ キャップ
【図１】
0004210965.tif 000002
【図２】
0004210965.tif 000003
【図３】
0004210965.tif 000004
【図４】
0004210965.tif 000005